(57)【要約】      （修正有）【課題】客が店舗にエコバスケットを持参した際においても、ショッピングカートの使用を要求されずにショッピングを手軽にできるようにするバスケット連結具を提供する。【解決手段】上面に開口面のある略箱形状を有したエコバスケットに取り付けることが可能なバスケット連結具１であって、エコバスケットの側面に形成された穴部に貫通させる弾性紐部１２と、弾性紐部１２と一体接続されて、エコバスケットの上に、店舗に予め準備されているショッピングバスケットを積み重ねた状態において、上段側のショッピングバスケットと下段側のエコバスケットとを一体連結するため、エコバスケットの上周縁部に係止することができる鉤形状を有した係止部１１と、弾性紐部１２の両端側を一体固定するための固定部１３と、を備え、弾性紐部１２をエコバスケットの側面の穴部に貫通させ、固定部１３で当該弾性紐部１２の両端を固定することでエコバスケットの側面に取り付けられる。【選択図】図３
0003222988.tif 000002
【実用新案登録請求の範囲】
【請求項１】
買い物客が店舗に持参する買い物籠であって、上面に開口面のある略箱形状を有したエコバスケットに取り付けることが可能なバスケット連結具であって、
前記エコバスケットの側面に形成された穴部に貫通させる弾性紐部と、
前記弾性紐部と一体接続されて、前記エコバスケットの上に、店舗に予め準備されているショッピングバスケットを積み重ねた状態において、上段側の前記ショッピングバスケットと下段側の前記エコバスケットとを一体連結するため、前記エコバスケットの上周縁部に係止することができる鉤形状を有した係止部と、
前記弾性紐部の両端側を一体固定するための固定部と、を備え、
前記弾性紐部を前記エコバスケットの側面の穴部に貫通させ、前記固定部で当該弾性紐部の両端を固定することで前記エコバスケットの側面に取り付けられる、ことを特徴とするバスケット連結具。
【請求項２】
前記バスケット連結具は、さらに、
前記弾性紐部と前記係止部とを接続するための接続部を備え、
当該接続部は、
前記弾性紐部を挿通させるための屈曲面を有して垂直断面が略コの字形状となる屈曲部材と、
前記屈曲部材の開口端側に前記係止部の下端を配置し、当該係止部の下端を前記屈曲部材に挟持させるためのリベット部材と、を備えることを特徴とする請求項１に記載のバスケット連結具。
【請求項３】
前記バスケット連結具は、さらに、
前記接続部を外側から被覆するゴム部材である被覆ゴムを備える、ことを特徴とする請求項２記載のバスケット連結具。
【請求項４】
前記バスケット連結具の接続部は、前記エコバスケットが店舗に設置してあるショッピングバスケットに上下に積み重ねられた状態において、上段側のショッピングバスケットの上周縁部と下段側のエコバスケットの上周縁部との間に形成される空間に収容可能な形状を有する、ことを特徴とする請求項２又は３に記載のバスケット連結具。
【請求項５】
前記係止部は、合成樹脂で一体成形され、前記弾性紐部を貫通するための穴部をその基部側に有し、
前記係止部の鉤形状は釣り針形状となり、
前記固定部は、ユーザ自ら着脱可能な固定具である、ことを特徴とする請求項１に記載のバスケット連結具。
【請求項６】
前記弾性紐部は、平形の織りゴムである、ことを特徴とする請求項５に記載のバスケット連結具。
【請求項７】
前記係止部は、合成樹脂で一体成形され、前記弾性紐部を貫通するための穴部をその基部側に有し、
前記係止部の鉤形状は、側面視で略コ字形状となり、且つ鉤の先端部分が所定幅を有しており、
前記固定部は、ユーザが自ら着脱可能な固定具である、ことを特徴とする請求項１に記載のバスケット連結具。
【請求項８】
前記係止部は、合成樹脂で一体成形され、前記弾性紐部を貫通するための穴部をその基部側に有し、
前記係止部の鉤形状は、側面視で略コ字形状となり、且つ先端部分が所定幅を有すると共に角丸めされており、
前記固定部は、ユーザが自ら着脱可能な固定具である、ことを特徴とする請求項１に記載のバスケット連結具。
【請求項９】
買い物客が店舗に持参する買い物籠たるエコバスケットであって、
前記請求項１乃至８の何れか一項に記載のバスケット連結具を備える、ことを特徴するエコバスケット。
【請求項１０】
前記エコバスケットの長側面の上側の対向する位置には、一対の前記バスケット連結具が取り付けられ、
前記エコバスケットの上に、店舗に予め準備されているショッピングバスケットが積み重ねられた状態において、前記バスケット連結具を構成して下段側の前記エコバスケットに取り付けられて当該ショッピングバスケットの上周縁部に係止することができる鉤形状の係止部を、上段側の前記ショッピングバスケットの上周縁部に係止することで上段側の前記ショッピングバスケットと下段側の前記エコバスケットとを一体連結する、ことを特徴とする請求項９記載のエコバスケット。
【考案の詳細な説明】
【技術分野】
【０００１】
本考案は、買い物客がスーパーマーケットなどの店舗に持参する買い物籠たるエコバスケットに用いるバスケット連結具、及び当該バスケット連結具を備えるエコバスケットに関する。
【背景技術】
【０００２】
従来より、買い物客がスーパーマーケットなどの店舗で買物をする場合、入口付近に置いてある買い物籠（ショッピングバスケットとも呼ぶ）を使用する。買い物客はこの買い物籠に購入する商品を入れ、これらの商品をレジで精算し、その後に顧客自らでビニール製の買物袋に詰め替えて持ち帰るのが一般的である。このビニール製の買物袋は、家に持ち帰ったところで特に用がなく、毎日ゴミとして処分されるものが多くある。
【０００３】
近年では環境保護のためにも、政府や自治体などが、買い物客が予め自らが購入したマイバックやマイバスケット（登録商標）を持参して使用することを推奨している。この場合、店舗側にとっては、レジ袋を提供する必要がなくなりコストの削減が出来ると共に、買い物客側にとっては、レジでの精算後に店舗の買い物籠からレジ袋へ商品を入れ替える必要がなくなり、双方にとってメリットがある。また、当然にゴミの削減、ＣＯ２削減となり、個人の買い物客ができるエコフレンドリーな行動となる。
【０００４】
マイバックやエコバスケットは様々な形状ものがあり、例えば、折り畳み式の取っ手の付いた買い物籠が開示されている（例えば、特許文献１参照）。また、スーパーマーケットなどで買い物をする場合、購入した商品が外側から見えないようにした買い物籠も開示されている（例えば、特許文献２参照）。また、手提げ袋の開口部をかご全体の内周面に沿って大きく開放させた状態で手提げ袋をかご本体内に支持させるようにした手提げかごと手提げ袋のセット容器も開示されている（例えば、特許文献３参照）。
【先行技術文献】
【特許文献】
【０００５】
【特許文献１】特開２００８−２５９７８５号公報
【特許文献２】特開２００９−２６１６４１号公報
【特許文献３】特開２０１０−１４２５５５号公報
【考案の概要】
【考案が解決しようとする課題】
【０００６】
しかしながら、上記のような様々なエコバスケットが提供され、且つエコバスケット自体は特に高額ではないにも関わらず、実際には買い物客がエコバスケットを利用することは少なく、未だ十分に普及していないのが現実である。
【０００７】
このエコバスケットが普及が進まない理由には様々な要素があるが、その理由の一つとして、図１０に示すように、ショッピングカート５０の使用を強要されることである。すなわち、買い物客がエコバスケット５１を持参して商品を購入するには、エコバスケット５１とショッピングバスケット５２とを両方の手で持つわけにはいかない。このため、エコバスケット５１を持参して利用する買い物客は、ほとんどの場合、ショッピングカート５０上にエコバスケット５１とショッピングバスケット５２の双方を載せて使用することが要求されるという問題がある。
【０００８】
さらに言うと、買い物客がエコバスケットを使用するときは、たとえ買い物をする商品が非常に少ない場合でも、必ずショッピングカートとエコバスケットとの併用が必要となる場合すらある。
【０００９】
この結果、買い物客は、エコバスケットは単体での使用がしにくく感じ、エコバスケットを使用することが面倒で甚だ不便と感じる。こういった性質のせいで、これまでエコバスケットはあまり普及していないという側面がある。
【００１０】
本考案は、上記課題に鑑みてなされたものであり、買い物客が店舗にエコバスケットを持参した際においても、ショッピングカートの使用を要求されずにショッピングを手軽にできるようにするバスケット連結具を提供する。また、このバスケット連結具を備えたエコバスケットをも提供することを目的とする。
【課題を解決するための手段】
【００１１】
上記課題を解決するため、本考案は、買い物客が店舗に持参する買い物籠であって、上面に開口面のある略箱形状を有したエコバスケットに取り付けることが可能なバスケット連結具であって、前記エコバスケットの側面に形成された穴部に貫通させる弾性紐部と、前記弾性紐部と一体接続されて、前記エコバスケットの上に、店舗に予め準備されているショッピングバスケットを積み重ねた状態において、上段側の前記ショッピングバスケットと下段側の前記エコバスケットとを一体連結するため、前記エコバスケットの上周縁部に係止することができる鉤形状を有した係止部と、前記弾性紐部の両端側を一体固定するための固定部と、を備え、前記弾性紐部を前記エコバスケットの側面の穴部に貫通させ、前記固定部で当該弾性紐部の両端を固定することで前記エコバスケットの側面に取り付けられることを特徴とするバスケット連結具である。   
【００１２】
このバスケット連結具において、さらに、前記弾性紐部と前記係止部とを接続するための接続部を備え、当該接続部は、前記弾性紐部を挿通させるための屈曲面を有して垂直断面が略コの字形状となる屈曲部材と、前記屈曲部材の開口端側に前記係止部の下端を配置し、当該係止部の下端を前記屈曲部材に挟持させるためのリベット部材と、を備えることが好ましい。   
【００１３】
このバスケット連結具において、前記バスケット連結具は、さらに、前記接続部を外側から被覆するゴム部材である被覆ゴムを備えることが好ましい。
【００１４】
このバスケット連結具において、前記バスケット連結具の接続部は、前記エコバスケットが店舗に設置してあるショッピングバスケットに上下に積み重ねられた状態において、上段側のショッピングバスケットの上周縁部と下段側のエコバスケットの上周縁部との間に形成される空間に収容可能な形状を有することが好ましい。
【００１５】
このバスケット連結具において、前記係止部は、合成樹脂で一体成形され、前記弾性紐部を貫通するための穴部をその基部側に有し、前記係止部の鉤形状は釣り針形状となり、前記固定部は、ユーザ自ら着脱可能な固定具であることが好ましい。
【００１６】
このバスケット連結具において、前記弾性紐部は、平形の織りゴムであることが好ましい。
【００１７】
このバスケット連結具において、前記係止部は、合成樹脂で一体成形され、前記弾性紐部を貫通するための穴部をその基部側に有し、前記係止部の鉤形状は、側面視で略コ字形状となり、且つ鉤の先端部分が所定幅を有しており、前記固定部は、ユーザが自ら着脱可能な固定具であることが好ましい。
【００１８】
このバスケット連結具において、前記係止部は、合成樹脂で一体成形され、前記弾性紐部を貫通するための穴部をその基部側に有し、前記係止部の鉤形状は、側面視で略コ字形状となり、且つ先端部分が所定幅を有すると共に角丸めされており、前記固定部は、ユーザが自ら着脱可能な固定具であることが好ましい。
【００１９】
上記課題を解決するため、本考案は、買い物客が店舗に持参する買い物籠たるエコバスケットであって、前記に記載のバスケット連結具を備えることを特徴とするエコバスケットである。
【００２０】
このエコバスケットにおいて、前記エコバスケットの長側面の上側の対向する位置には、一対の前記バスケット連結具が取り付けられ、前記エコバスケットの上に、店舗に予め準備されているショッピングバスケットが積み重ねられた状態において、前記バスケット連結具を構成して下段側の前記エコバスケットに取り付けられて当該ショッピングバスケットの上周縁部に係止することができる鉤形状の係止部を、上段側の前記ショッピングバスケットの上周縁部に係止することで上段側の前記ショッピングバスケットと下段側の前記エコバスケットとを一体連結することが好ましい。
【考案の効果】
【００２１】
本考案に係るバスケット連結具は、買い物客が店舗に持参する買い物籠であって、上面に開口面のある略箱形状を有したエコバスケットに取り付けることが可能である。そして、本考案は、エコバスケットの上に、店舗に予め準備されているショッピングバスケットを積み重ねた状態において、上段側のショッピングバスケットと下段側のエコバスケットとを一体連結することができる。この構成により、買い物客が店舗にエコバスケットを持参した際においても、ショッピングカートの使用を要求されずにショッピングを手軽に楽しめる。
【図面の簡単な説明】
【００２２】
【図１】（ａ）本考案の実施の形態に係るバスケット連結具を備えるエコバスケットの側面図、（ｂ）同上エコバスケットの平面図である。
【図２】同上エコバスケットの斜視図である。
【図３】（ａ）同上バスケット連結具の斜視図、（ｂ）同上バスケット連結具に備わる接続部の分解斜視図である。
【図４】同上バスケット連結具の一部破断斜視図である。
【図５】（ａ）同上エコバスケットをショッピングバスケットに積み重ねた状態を示す側面図、（ｂ）同上エコバスケットをショッピングバスケットに積み重ねた状態を示す写真図である。
【図６】（ａ）及び（ｂ）本考案の実施の形態の変形例１に係るバスケット連結具の写真図である。
【図７】（ａ）及び（ｂ）同上バスケット連結具をエコバスケットに装着した状態を示す写真図である。
【図８】（ａ）乃至（ｄ）本考案の実施の形態の変形例２に係るバスケット連結具に用いる係止部の斜視図である。
【図９】（ａ）本考案の実施の形態の変形例３に係るバスケット連結具に用いる係止部の右側面図、（ｂ）同上係止部の背面図、（ｃ）同上係止部の底面図、（ｄ）同上係止部の斜視図である。
【図１０】従来のエコバスケットの店舗で使用状態を説明するための写真図である。
【考案を実施するための形態】
【００２３】
本考案の実施の形態に係るバスケット連結具、及びバスケット連結具を備えるエコバスケットについて図面を参照しながら説明する。図１は、バスケット連結具１を備えるエコバスケット２を示しており、このエコバスケット２はポリプロピレン(polypropylene)やポリオレフィン(polyolefin)樹脂などのプラスチック樹脂製であり、非常に軽量で持ち運びがし易い。
【００２４】
エコバスケット２は、買い物客がスーパーなどでの買い物時に持参して、商品を購入後そのまま持ち帰る目的で利用される。エコバスケット２を使用することで、店舗側にとっては、レジ袋を提供する必要がなく、コストの削減が出来る一方、買い物客側にとっては、精算後に、買い物籠から袋へ商品を入れ替える必要がなく、双方にとってメリットがある。また、ゴミの削減、ＣＯ２削減となり、地球環境に優しい商品となっている。
【００２５】
最初に、バスケット連結具１を備えるエコバスケット２の特徴に関して図１及び図２を参照して説明する。エコバスケット２は、上面に開口面２ａのある略箱形状を有し、買い物客が店舗に持参する買い物籠であり、個人用に販売され、例えば外形の高さ２５３ｍｍ、幅３６０ｍｍ、奥行き５１０ｍｍ程度で、容量約２８リットルのものがある。エコバスケット２は時にはマイバスケット（登録商標）、マイ籠などと呼ばれることがある。
【００２６】
エコバスケット２は、その開口面２ａの周囲に上周縁部２ｂを有し、長側面２ｃ，２ｄ側の上周縁部２ｂにはコの字形状の持ち手２ｅが回動可能に軸支されている。この持ち手２ｅは、未使用時には上周縁部２ｂに沿って倒れているが、使用時には起立させて買い物客が把持することでエコバスケット２を持ち運び可能とする。なお、エコバスケット２は、未使用時には、いわゆるネスティング収納（スタッキング収容）が可能で、積み重ねることで未使用時に無駄なスペースを要しない構成となっている。
【００２７】
エコバスケット２の対向する長側面２ｃ，２ｄの上側に、図１に示すようなバスケット連結具１が取り付けられている。このバスケット連結具１は、図３及び図４に示すように、係止部１１、弾性紐部１２、固定部１３、接続部１４、及び被覆ゴム１５を備える。
【００２８】
係止部１１は、例えば金属製であり、弾性紐部１２と一体接続されて、エコバスケット２の上周縁部２ｂに係止することができる鉤形状を有する。係止部１１はいわゆる鉤状フックであり、本実施の形態における鉤形状は釣り針のような形状である。係止部１１は、当然にショッピングバスケット３の上周縁部３ｂにも係止できるものである。
【００２９】
弾性紐部１２は、例えばゴムバンドであり、エコバスケット２の側面に形成された穴部に貫通される。本実施の形態においては、エコバスケット２の長側面２ｃ，２ｄの上周縁部２ｂに近い穴部の２か所に貫通されている。なお、弾性紐部１２を貫通させるエコバスケット２の穴部の位置は限定されるものではない。
【００３０】
固定部１３は、図３（ａ）に示すように、弾性紐部１２の両端側を固定するための部材であり、例えば可撓性を有する金属部材である。エコバスケット連結具１は、弾性紐部１２をエコバスケット２の側面の穴部に貫通させ、固定部１３で弾性紐部１２の両端を固定することでエコバスケット２の側面に取り付け可能となる。
【００３１】
接続部１４は、係止部１１と弾性紐部１２とを接続するための部材である。接続部１４は、本実施の形態においては、図３（ｂ）に示すように、弾性紐部１２を貫通させるための屈曲面を有して垂直断面で略コの字形状を有した屈曲部材１６と、屈曲部材１６の開口端側に係止部１１の下端を挟持するためのリベット部材１７と、を備える。
【００３２】
被服ゴム１５は、接続部１４を外側から被覆するゴム部材などであり、バスケット連結具１の強度を補強し、見た目を改善する。
【００３３】
次に、本実施の形態に係るバスケット連結具１、及びエコバスケット２の具体的な使用例に関して、図５を参照しながら説明する。
【００３４】
最初に、買い物客がエコバスケット２を店舗に持参し、このエコバスケット２にはバスケット連結具１が備わってる。すなわち、エコバスケット２の長側面２ｃ，２ｄの上縁側の対向する位置には、一対のバスケット連結具１が取り付けられている。
【００３５】
次に、買い物客は、エコバスケット２の上側に、店舗に予め準備されているショッピングバスケット３を積み重ねる。そして、買い物客は、図５（ａ）に示すように下段側のエコバスケット２のバスケット連結具１の係止部１１を、上段側のショッピングバスケット３の上周縁部３ｂに係止することで上段側のショッピングバスケット３と下段側のエコバスケット２とを一体連結することが可能となる。この結果、買い物客は、ショッピングの際にエコバスケット２が邪魔になることはなく、ショッピングカートを特に使用することを要せずに気軽に買い物を楽しむことができる。その後、レジではバスケット連結具１の係止部１１を取り外して、清算した商品を店員によりショッピングバスケット３からエコバスケット２に直接入れてもらい、清算を終了してエコバスケット２をそのまま持ち帰ることで商品を持ち帰ることができる。
【００３６】
なお、図５（ｂ）に示すように、バスケット連結具１の接続部１４（被覆ゴム１５）は、エコバスケット２が店舗に設置してあるショッピングバスケット３に上下に積み重ねられた状態において、上段側のショッピングバスケット３の上周縁部３ｂと下段側のエコバスケット２の上周縁部２ｂとの間に形成される空間Ａに収容可能な形状を有している。すなわち、バスケット連結具１の接続部１４を厳選して螺旋や突起などのない部品を使用し、弾性紐部１２と係止部１１の接合部１４の留め具をリベット部材１７にした結果、出っ張りの非常に少ないシンプルな構造に到ることができた。
【００３７】
以上の説明のように、本実施の形態に係るバスケット連結具１は、買い物客が店舗に持参する買い物籠であって、上面に開口面２ａのある略箱形状を有したエコバスケット２に取り付けることが可能なバスケット連結具１であって、エコバスケット２の上に、店舗に予め準備されているショッピングバスケット３を積み重ねた状態において、上段側のショッピングバスケット３と下段側のエコバスケット２とを一体連結可能とする。
【００３８】
具体的には、バスケット連結具１は、エコバスケット２の側面に形成された穴部に貫通させる弾性紐部１２と、弾性紐部１２と一体接続されてエコバスケット２の上周縁部２ｂ（及びショッピングバスケット３の上周縁部３ｂ）に係止することができる鉤形状を有した係止部１１と、弾性紐部１２の両端側を一体固定するための固定部１３と、を備える。そして、弾性紐部１２をエコバスケット２の側面の穴部に貫通させ、固定部１３で弾性紐部１２の両端を固定することでエコバスケット２の側面に取り付ける。
【００３９】
この構成により、買い物客がエコバスケット２を持参して店舗で買い物する際に、上段側に配置されたショッピングバスケット３と下段側のエコバスケット２とを極めて簡単に一体連結することができる。すなわち、買い物客は、係止部１１を上段側のショッピングバスケット３の上周縁部３ｂに非常に容易に取り付け・取り外しできる。この結果、買い物客が店舗にエコバスケット２を持参した際においても、ショッピングカートの使用を要求されないで買い物を気軽に楽しむことができるようになる。
【００４０】
また、このバスケット連結具１の構成により、各店舗により設置されてあるショッピングバスケットの規格・寸法が異なるような場合においても、弾性紐部１２が弾性を有するために異なる各サイズのショッピングバスケットに適用できる。すなわち、本実施の形態に係るバスケット連結具１は、多種のショッピングバスケットに対応することができる。
【００４１】
また、バスケット連結具１の接続部１４は、エコバスケット２とショッピングバスケット３とが上下に積み重ねられた状態において、上段側のショッピングバスケット３の上周縁部３ｂと下段側のエコバスケット２の上周縁部２ｂとの間に形成される空間Ａに収容可能となる。このため、上下に積み重ねられるバスケット同士が干渉し合わないシンプルな構造を実現できる。
【００４２】
さらに、バスケット連結具１は、主として金属材とゴム製品で構成されるため、バスケット連結具１の低価格化をも実現できる。
【００４３】
この結果、ショッピングカートなしでのエコバスケット２の利用を可能にし、大手量販店などにおいて買い物客にエコバスケット２を使用しやすい環境を整えることができる。また、レジ袋使用削減に向けた国際的な取り組みを推進し、果ては地球規模でのエコ運動推進の一役を担うことができる。
【００４４】
（変形例１）
本実施の形態の変形例１について図６及び図７を参照して説明する。本変形例１に係るバスケット連結具１Ａのエコバスケットの上周縁部に係止することができる鉤形状を有した係止部２１は、合成樹脂（プラスチック樹脂）で一体成形され、弾性紐部２２を貫通するための穴部２１ａをその基部側に有している。この係止部２１の鉤形状は釣り針形状となる。また、弾性紐部２２の両端側を一体固定するための固定部２３は、ユーザが自ら着脱可能な固定具となっている。さらに、弾性紐部２２は、平形の織りゴム（例えば、幅１５ｍｍ）とした。
【００４５】
そして、図７に示すように、弾性紐部２２をエコバスケット２の側面の穴部に貫通させ、固定部２３で弾性紐部２２の両端側を連結することでエコバスケット２に取り付けられる。
【００４６】
すなわち、本変形例に係るバスケット連結具１Ａにおいては、上述の実施の形態に係るバスケット連結具１に備わる屈曲部１６やリベット部材１７のような接続部１４、及び被覆ゴム１５のような部材は不要となり、より実用的な構成となっている。また、固定具２３は、上述の実施の形態に係るバスケット連結具１に備わる固定具１３のようなかしめ金具ではなく、弾性紐部２２は、円形状のゴムではなく平形の織りゴムとなる。
【００４７】
この変形例１に係るバスケット連結具１Ａの構成においても、上記実施の形態と同様の作用効果を奏することができる。また、これに加えて、金属製ではなく耐久性の有る合成樹脂製の係止部２１になり金型を用いて安価に量産ができる。さらに、エコバスケット２への取り付けを容易化したため、バスケット連結具１Ａのみを販売でき、郵送費や商品の価格を低減し、汎用性を拡げることができる。
【００４８】
（変形例２）
本実施の形態の変形例２について図８を参照して説明する。本変形例２において、係止部３１は、合成樹脂（プラスチック樹脂）で一体成形され、平形の弾性紐部２２を貫通するための穴部３１ａをその基部側に有している。係止部３１の鉤形状は、側面視で略コ字形状となり、且つ鉤の先端部分３１ｂが所定幅（例えば２０ｍｍ、正面視において係止部３１の基部側と同じ幅）を有する。この構造により、変形例２に係る係止部３１を有するバスケット連結具においては、上記変形例１と同様の作用効果を奏する。また、係止部３１の先端部分３１ｂの幅を広げたために係止部３１の先端がショッピングバスケット３やエコバスケット２の側面の穴に食い込むことを適切に防止できる。さらに、図８（ａ）に示すように、本変形例２においては係止部３１の略コ字形状の幅Ｂを広くできるため、全てのショッピングバスケット３への使用に対応可能となる。
【００４９】
（変形例３）
本実施の形態の変形例３について図９を参照して説明する。本変形例３において、係止部４１は、合成樹脂（プラスチック樹脂）で一体成形され、平形の弾性紐部２２を貫通するための穴部４１ａをその基部側に有している。係止部４１の鉤形状は、側面視で略コ字形状となり、且つ先端部分４１ｂが所定幅（例えば２０ｍｍ、正面視において係止部４１の基部側と同じ幅）を有すると共に、角丸め（すなわち面取り）されている。この係止部４１は、例えば、側面視での幅３６．５ｍｍ、高さ７７．５ｍｍ、背面視での幅２０ｍｍである。この構造により、本変形例３では上記変形例２と同様の作用効果を奏することができる。
【００５０】
なお、本考案は、上記実施の形態の構成に限られず、考案の趣旨を変更しない範囲で種々の変形が可能である。また、上記実施の形態においてはバスケット連結具の係止部の構造を鉤形状としたが他の形状でも良い。また、上下に積み重ねされたバスケット同士を連結する構造はその他の形状・構造も考え得る。さらに、バスケット連結具のサイズはバスケットの大きさに併せて様々なサイズに変更できることは言うまでもない。
【符号の説明】
【００５１】
１，１Ａ  バスケット連結具
２  エコバスケット
２ａ  開口面
２ｂ  上周縁部
２ｃ，２ｄ  長側面
２ｅ  持ち手
３  ショッピングバスケット
３ｂ  上周縁部
１１  係止部
１２  弾性紐部
１３  固定部
１４  接続部
１５  被覆ゴム
１６  屈曲部材
１７  リベット部材
２１，３１，４１  係止部
２１ａ，３１ａ，４１ａ  穴部
２２  弾性紐部
２３  固定部
３１ｂ，４１ｂ  先端部分
【図１】
0003222988.tif 000003
【図２】
0003222988.tif 000004
【図３】
0003222988.tif 000005
【図４】
0003222988.tif 000006
【図５】
0003222988.tif 000007
【図６】
0003222988.tif 000008
【図７】
0003222988.tif 000009
【図８】
0003222988.tif 000010
【図９】
0003222988.tif 000011
【図１０】
0003222988.tif 000012